(57)【特許請求の範囲】
【請求項１】
内部に揮散性の薬剤が収容され上面に開口部が設けられた容器の上部に装着されるキャップ本体と、このキャップ本体の上面の周縁部全体に渡って上方に突出して設けられたフランジとから構成され、前記キャップ本体の前記上面に複数の揮散口が設けられたキャップにおいて、
前記フランジに、切欠き部を設け、
前記揮散口は、前記切欠き部と前記キャップ本体の中心とを結ぶ直線と交差してそれぞれ両端部が前記キャップ本体に結合された複数のリブと、前記キャップ本体とから構成されたことを特徴とするキャップ。
【請求項２】
前記切欠き部が、前記フランジに複数設けられたことを特徴とする請求項１記載のキャップ
【請求項３】
前記切欠き部が、前記フランジに相対向して設けられたことを特徴する請求項２記載のキャップ。
【請求項４】
前記フランジの内側に、前記切欠き部に隣接して段部を設けたことを特徴とする請求項１から３のいずれか１項に記載のキャップ。
【請求項５】
前記段部が、前記切欠き部の下側で前記切欠き部に隣接して設けられたことを特徴とする請求項４記載のキャップ。
【請求項６】
前記段部は、前記切欠き部の切欠き形状を構成する切欠き面部が延長して形成されたことを特徴とする請求項５記載のキャップ。
【請求項７】
前記段部が、前記切欠き部から下方に傾けて設けられたことを特徴とする請求項４から６のいずれか１項に記載のキャップ。
【発明の詳細な説明】
【０００１】
【発明の属する技術分野】
本発明は、芳香剤や消臭剤等の揮散性の薬剤を揮散させる揮散器に用いられるキャップに関する。
【０００２】
【従来の技術】
従来、芳香剤や消臭剤等の揮散性の薬剤を揮散させる揮散器には、配置状態において揮散を可能にしつつ内部に物等が落下するのを防止し、また搬送時や陳列時に揮散器を積み重ねる（スタック）ことを可能にするためにキャップを備えた揮散器があり、例えば本出願人により図６に示すような揮散器１０１が提案されている（特開２０００−１９１０５９号公報参照）。
【０００３】
この揮散器１０１は、容器２と、この容器２に装着されるキャップ１１１とから構成されている。容器２は、その上面に開口部２５が設けられており、内部には揮散性の薬剤４が収容されている。さらに、容器２の開口部２５の縁にはアルミ箔等の気密シート（図示せず）が貼着されており、この気密シートによって開口部２５が塞がれた状態となっている。
【０００４】
また、キャップ１１１は、容器２の上部に装着されるキャップ本体１１２と、このキャップ本体１１２の上面の周縁部全体に渡って上方に突出して設けられたフランジ１１３とから構成されている。キャップ本体１１２には、図６に示すように上面に複数の揮散口１１４が形成されている。
【０００５】
そして、揮散器１０１を使用する際には、キャップ１１１を外して容器２に貼着された前記気密シートを剥がして除去した後、再度キャップ１１１を容器２に装着して室内等に配置する。
【０００６】
すると、図７に示すようにキャップ１１１の上部を流動する空気ａがキャップ本体１１２の揮散口１１４から容器２の開口部２５を介して容器２内に流入して薬剤４に接触し、開口部２５を介して揮散口からキャップ１１１の上部に流出するという空気ａの流通経路が形成される。これにより、容器２内で揮散している薬剤４の揮散成分が容器２内からキャップ１１１の上部に流出する空気ａに伴って上昇することにより揮散器１０１の外部に効率的に揮散されるため、芳香効果や消臭効果を高めることが可能となっている。
【０００７】
【発明が解決しようとする課題】
しかしながら、キャップ１１１の側面１１５に流れてくる空気ｂにおいては、妨げられて上方に流れたり（図６参照）、キャップ１１１の側面１１５に沿って流れたり（図７参照）して揮散口１１４に流入されない。このため、キャップ１１１の外部で流動する空気を十分に活用することができず、容器２内の薬剤４をより効率的に外部に揮散させることができなかった。
【０００８】
本発明は、かかる従来の課題に鑑みてなされたものであり、揮散効率を高めることができるキャップを提供することを目的とする。
【０００９】
【課題を解決するための手段】
前記課題を解決するために本発明の請求項１記載のキャップでは、内部に揮散性の薬剤が収容され上面に開口部が設けられた容器の上部に装着されるキャップ本体と、このキャップ本体の上面の周縁部全体に渡って上方に突出して設けられたフランジとから構成され、前記キャップ本体の前記上面に複数の揮散口が設けられたキャップにおいて、前記フランジに、切欠き部を設け、前記揮散口は、前記切欠き部と前記キャップ本体の中心とを結ぶ直線と交差してそれぞれ両端部が前記キャップ本体に結合された複数のリブと、前記キャップ本体とから構成されたものとしている。
【００１０】
かかる構成においては、キャップの上部だけでなく側面からも容器内に空気が流入することで容器内への空気の流入量が増加するため、容器内からキャップの外部に流出する空気の流出量も増加し、容器内の薬剤をキャップの外部に揮散させやすくすることができる。
また、切欠き部から流入した空気がリブに当たって流下することにより、容器内に効率よく空気を流入させることが可能となるため、容器内の薬剤をキャップの外部にさらに揮散させやすくすることができる。
【００１１】
また、請求項２記載のキャップにおいては、前記切欠き部が、前記フランジに複数設けられたものとしている。
【００１２】
かかる構成においては、キャップの側面から容器内への空気の流入量が増加するため、容器内からキャップの外部に流出する空気の流出量もさらに増加し、容器内の薬剤をキャップの外部にさらに揮散させやすくすることができる。
【００１３】
また、請求項３記載のキャップにおいては、前記切欠き部が、前記フランジに相対向して設けられたものとしている。
【００１４】
かかる構成においては、キャップの左右側から切欠き部を介してそれぞれ容器内に空気が流入されることにより、切欠き部が相対向して設けられていない場合と比べて空気の流入範囲が広がるため、容器内に効率よく空気を流入させることが可能となって、容器内の薬剤をキャップの外部にさらに揮散させやすくすることができる。
【００１７】
また、請求項４記載のキャップにおいては、前記フランジの内側に、前記切欠き部に隣接して段部を設けたものとしている。
【００１８】
かかる構成においては、フランジに沿って切欠き部から流入した空気が段部でガイドされて流下することにより、容器内に効率よく空気を流入させることが可能となるため、容器内の薬剤をキャップの外部にさらに揮散させやすくすることができる。
【００１９】
また、請求項５記載のキャップにおいては、前記段部が、前記切欠き部の下側で前記切欠き部に隣接して設けられたものとしている。
【００２０】
かかる構成においては、段部と容器との距離が近付くことにより、容器内により効率よく空気を流入させることが可能となるため、容器内の薬剤をキャップの外部にさらに揮散させやすくすることができる。
【００２１】
また、請求項６記載のキャップにおいては、前記段部は、前記切欠き部の切欠き形状を構成する切欠き面部が延長して形成されたものとしている。
【００２２】
かかる構成においては、切欠き面部に沿って流入した空気がスムーズに流下することにより、容器内により効率よく空気を流入させることが可能となるため、容器内の薬剤をキャップの外部にさらに揮散させやすくすることができる。
【００２３】
また、請求項７記載のキャップにおいては、前記段部が、前記切欠き部から下方に傾けて設けられたものとしている。
【００２４】
かかる構成においては、切欠き部から流入した空気が段部により下方にガイドされて流下するため、容器内により効率よく空気を流入させることが可能となり、容器内の薬剤をキャップの外部にさらに揮散させやすくすることができる。
【００２５】
【発明の実施の形態】
以下、本発明の一実施の形態を図にしたがって説明する。
【００２６】
図１は、本発明の一実施の形態を示す揮散器１の正面図である。この揮散器１は、容器２と、この容器２に装着されたキャップ３とから構成されている。
【００２７】
容器２は透明のプラスチック製であって、図２にも示すように底面部２１と、この底面部２１に下端部が連なる周壁２２、及びこの周壁２２の上端部に連なって起立する円筒状の首部２３を一体的に有しており、この首部２３は容器２の上部を構成している。
【００２８】
底面部２１は、容器２の内部方向に膨出しており、周壁２２はその上下方向の中程部が外部方向に膨出した球面形状に形成されている。首部２３の外周面には雄ねじ部２４が形成されており、上面には開口部２５が設けられている。
【００２９】
また、容器２の内部には、揮散して薬効を発生する芳香剤、消臭剤等の揮散性のゲル状の薬剤４が収容されている。さらに、容器２の開口部２５の縁にはアルミ箔等の気密シート（図示せず）が貼着されており、この気密シートによって開口部２５が塞がれた状態となっている。
【００３０】
一方、キャップ３は半透明のプラスチック製であって、図１および図３に示すように、容器２の首部２３に装着されるキャップ本体３１と、キャップ本体３１の上面３１ａの周縁部３２全体に渡って上方に突出して形成されたフランジ３３とから構成されている。
【００３１】
キャップ本体３１には、図３（Ｂ）に示すように、その内周面に雌ねじ部３４が形成されており、この雌ねじ部３４が容器２の雄ねじ部２４（図２参照）に螺合されることによってキャップ３が容器２の首部２３に装着されている。
【００３２】
また、図１や図３に示すようにフランジ３３には、上端部に本発明の切欠き部として切欠き３５，３５が相対向して形成されている。各切欠き３５は切欠き形状がＶ字型であって、図３（Ｂ）及び（Ｃ）に示すようにＶ字型を構成している斜め下方に切り欠かれた切欠き面部３６，３７が交差して形成されている。
【００３３】
したがって、内側の切欠き面部３６において、外側の切欠き面部３７と交差する内側交差部が本発明の段部３８を構成している。この段部３８は切欠き面部３６が延長して形成されており、フランジ３３の内側において切欠き３５の下側で切欠き３５に隣接し、さらに切欠き３５から下方に傾けて設けられている。
【００３４】
また、図３（Ａ）に示すようにキャップ本体３１の上面３１ａには、切欠き３５，３５とキャップ本体３１の中心Ｏとを結ぶ直線Ｌと交差し、それぞれ両端部がキャップ本体３１と結合した複数のリブ３９、４０、４１が形成されている。
【００３５】
キャップ本体３１の上面３１ａにおいて中央に位置する中央リブ３９は、キャップ本体３１の中心部に位置して前記直線Ｌと交差するボス部３９ａと、ボス部３９ａの両端に結合して二股状に形成された一対の二股部３９ｂ，３９ｂとを中心にして構成されている。
【００３６】
ボス部３９ａを挟んで対角線状に向き合う二股部３９ｂ，３９ｂはさらに二股状に形成された一対の二股端部３９ｃ，３９ｃを有している。これにより中央リブ３９の両端部は、それぞれ一方の二股部３９ｂと、一対の二股端部３９ｃ，３９ｃとから構成され、キャップ本体３１の上面３１ａに結合している。
【００３７】
また、中央リブ３９の両側に位置するリブ４０、４１は、それぞれ両端部４２，４２の一方がキャップ本体３１の上面３１ａに結合しているとともに、他方が二股状に形成されて中央リブ３９の一方の二股部３９ｂとキャップ本体３１の上面３１ａとに結合されている。
【００３８】
この結果、キャップ本体３１の上面３１ａには、複数のリブ３９、４０、４１と、キャップ本体３１とにより複数の揮散口４３が形成されている。
【００３９】
かかる構成において、揮散器１を使用する際には、容器２からキャップ３を外して容器２に貼着された前記気密シートを剥がして除去した後、再度キャップ３を容器２に螺合させて装着し、室内等に配置する。
【００４０】
すると、図４に示すように、キャップ３の上部を流動する空気ａが、キャップ本体３１の揮散口４３から容器２の開口部２５を介して容器２内に流入して薬剤４に接触した後、開口部２５を介して揮散口４３からキャップ３の上部に流出するという空気ａの流通経路が形成される。
【００４１】
さらに、キャップ３の側面３ａに流れてくる空気ｂがフランジの切欠き３５，３５からキャップ本体３１の揮散口４３と容器２の開口部２５とを介して容器２内に流入して薬剤４に接触した後、開口部２５を介して揮散口４３からキャップの上部に流出する空気ｂの流通経路が形成される。
【００４２】
したがって、キャップ３の上部だけでなく側面３ａからも容器２内に空気が流入されるので、容器２内からキャップ３の上部に流出する空気の流出量が増加する。これにより、容器２内で揮散している薬剤４の揮散成分が、容器２内からキャップ３の上部に流出する空気ａ、ｂに伴って上昇しやすくなり、薬剤４をキャップ３の外部に揮散させやすくすることができる。
【００４３】
よって、本実施の形態では、このキャップ３を用いることにより、揮散効率を高めることができ、その結果周囲に与える芳香効果や消臭効果もさらに高めることができる。
【００４４】
また、キャップ３のフランジ３３には、切欠き３５，３５が相対向して形成されていることから、キャップ３の側面３ａにおいて左右側から切欠き３５を介してそれぞれ容器２内に空気ｂが流入される。これにより、切欠きが相対向して設けられていない場合と比べて空気ｂの流入範囲が広がるため、容器２内に効率よく空気ｂを流入させることが可能となって、容器２内の薬剤４をキャップ３の外部にさらに揮散させやすくすることができる。よって、揮散効率をさらに高めることができる。
【００４５】
また、図３（Ａ）に示したように揮散口４３を構成する複数のリブ３９、４０、４１が前記直線Ｌに交差しているので、図４に示すように切欠き３５から流入した空気ｂがリブ４１に当たって流下する。これにより、容器２内に効率よく空気ｂを流入させることが可能となり容器２内からキャップ３の上部に流出する空気の流出量が増加するため、容器２内の薬剤４をキャップ３の外部にさらに揮散させやすくすることができる。よって、揮散効率をさらに高めることができる。
【００４６】
また、図５に示すように、フランジ３３の内側において切欠き３５に隣接して段部３８が設けられているので、フランジ３３に沿って切欠き３５から流入した空気ｂが段部３８でガイドされて流下する。また、段部３８は内側の切欠き面部３６が延長して形成されているので切欠き面部３６に沿って流入した空気ｂがそのままスムーズに流下する。さらに、段部３８は切欠き３５の下側で隣接していることから容器２との距離が近くなっており、しかも切欠き３５から下方に傾いているので空気ｂが段部３８で下方にガイドされながら流下する。
【００４７】
したがって、この段部３８は、フランジ３３に沿って切欠き３５から流入した空気ｂを容器２内に流入させやすくなっているので、容器２内により効率よく空気ｂを流入させることが可能となり、容器２内の薬剤４をキャップ３の外部にさらに揮散させやすくすることができる。よって、揮散効率をさらに高めることができる。
【００４８】
なお、本実施の形態では、本発明の切欠き部として切欠き３５を形成したが、この切欠き３５の他に穴、孔、溝等を形成してもよい。また、切欠き３５，３５を相対向してフランジ３３に設けたが、単にフランジ３３に複数の切欠きをランダムに設けても良い。
【００４９】
また、段部３８が切欠き３５の切欠き形状を構成する切欠き面部３６が延長して形成されたものとしたが、これに限定されることはなく、切欠き３５に別部材として段部を隣接して設けても良い。
【００５０】
また、揮散口４３を複数のリブ３９、４０、４１とキャップ本体３１とから構成したが、これに限定されることはなく、例えば一体成形したキャップ本体の上面に形状に関係なく揮散口を形成しても良い。
【００５１】
また、フランジ３３に切欠き３５，３５と段部３８とを設けたが、最低限フランジ３３の任意の１箇所に切欠き部が設けられていれば良い。この場合でも、キャップ３の上部だけでなく側面３ａからも容器２内に空気が流入することから、切欠きがフランジ３３に設けられていない場合と比べて空気の流入量が増加するため、本実施の形態と同様に揮散効率を高めることができる。
【００５２】
【発明の効果】
以上説明したように本発明の請求項１記載のキャップにおいては、キャップの上部だけでなく側面からも容器内に空気が流入することで容器内への空気の流入量が増加するため容器内からキャップの外部に流出する空気の流出量も増加し、容器内の薬剤をキャップの外部に揮散させやすくすることができる。よって、揮散効率を高めることができる。
また、切欠き部から流入した空気がリブに当たって流下することにより、容器内に効率よく空気を流入させることが可能となるため、容器内の薬剤をキャップの外部にさらに揮散させやすくすることができる。よって、揮散効率をさらに高めることができる。
【００５３】
また、請求項２記載のキャップにおいては、キャップの側面から容器内への空気の流入量が増加するため、容器内からキャップの外部に流出する空気の流出量もさらに増加し、容器内の薬剤をキャップの外部にさらに揮散させやすくすることができる。よって、揮散効率をさらに高めることができる。
【００５４】
また、請求項３記載のキャップにおいては、キャップの左右側から切欠き部を介してそれぞれ容器内に空気が流入されることで空気の流入範囲が広がるため、容器内に効率よく空気を流入させることが可能となって、容器内の薬剤をキャップの外部にさらに揮散させやすくすることができる。よって、揮散効率をさらに高めることができる。
【００５６】
また、請求項４記載のキャップにおいては、フランジに沿って切欠き部から流入した空気が段部でガイドされて流下することにより、容器内に効率よく空気を流入させることが可能となるため、容器内の薬剤をキャップの外部にさらに揮散させやすくすることができる。よって、揮散効率をさらに高めることができる。
【００５７】
また、請求項５記載のキャップにおいては、段部と容器との距離が近付くことにより、容器内により効率よく空気を流入させることが可能となるため、容器内の薬剤をキャップの外部にさらに揮散させやすくすることができる。よって、揮散効率をさらに高めることができる。
【００５８】
また、請求項６記載のキャップにおいては、切欠き面部に沿って流入した空気がスムーズに流下することにより、容器内により効率よく空気を流入させることが可能となるため、容器内の薬剤をキャップの外部にさらに揮散させやすくすることができる。よって、揮散効率をさらに高めることができる。
【００５９】
また、請求項７記載のキャップにおいては、切欠き部から流入した空気が段部により下方にガイドされて流下するため、容器内により効率よく空気を流入させることが可能となり、容器内の薬剤をキャップの外部にさらに揮散させやすくすることができる。よって、揮散効率をさらに高めることができる。
【図面の簡単な説明】
【図１】本発明の一実施の形態を示す揮散器の正面図である。
【図２】（Ａ）は容器の平面図、（Ｂ）は容器の正面図である。
【図３】（Ａ）はキャップの平面図、（Ｂ）はキャップの一部断面正面図、（Ｃ）はキャップの底面図である。
【図４】揮散器の外部と内部とを流通する空気の流通経路を示す模式図である
【図５】切欠きから容器内に流入する空気の流入経路を示す模式図である。
【図６】従来のキャップを備えた揮散器の正面図である。
【図７】従来のキャップの平面図である。
【符号の説明】
２    容器
３    キャップ
４    薬剤
２３    首部
２５    開口部
３１  キャップ本体
３１ａ  上面
３２  周縁部
３３  フランジ
３６  切欠き面部
３８  段部
３９  リブ
４０  リブ
４１  リブ
４３  揮散口
Ｌ    直線
Ｏ    中心
【図１】
0004364421.tif 000002
【図２】
0004364421.tif 000003
【図３】
0004364421.tif 000004
【図４】
0004364421.tif 000005
【図５】
0004364421.tif 000006
【図６】
0004364421.tif 000007
【図７】
0004364421.tif 000008